(57)【特許請求の範囲】
【請求項１】
焦電型センサであって、第１の領域で移動体を検出する第１の検出手段と、
前記第１の領域と少なくとも一部が重複し、該第１の領域より狭い第２の領域で移動体を検出する第２の検出手段と、
前記第２の検出手段で移動体の存在を検出している際に、前記第１の検出手段で移動体の移動が検出されなかったときに、スリープモードを解除する画像処理装置。
【請求項２】
前記第１の検出手段で移動体を検出した時点で、前記第２の検出手段へ電力を供給する電力供給手段をさらに有する請求項１記載の画像処理装置。
【請求項３】
画像形成部と、当該画像形成部に対して支持体を介して設けられた画像読取部とを備え、前記第１の検出手段及び前記第２の検出手段が、前記支持体に取り付けられている請求
項１又は請求項２記載の画像処理装置。
【請求項４】
前記第２の検出手段は、前記移動体の有無を検出する反射型センサである請求項１〜請求項３の何れか１項記載の画像処理装置。
【請求項５】
コンピュータに、
焦電型センサであって、第１の領域で移動体を検出する第１の検出手段の検出結果、並びに前記第１の領域と少なくとも一部が重複し、該第１の領域より狭い第２の領域で移動体を検出する第２の検出手段の検出結果に基づいて、
前記第２の検出手段で移動体の存在を検出している際に、前記第１の検出手段で移動体の移動が検出されなかったときに、スリープモードを解除させる電力供給制御プログラム。
【発明の詳細な説明】
【技術分野】
【０００１】
本発明は、画像処理装置、電力供給制御プログラムに関する。
【背景技術】
【０００２】
特許文献１には、必要最小限の電力とすることを目的として、省エネルギーモード時に駆動が必要な人体検知センサを時分割駆動にして、人体を検出したら時分割の周期を短くするなどして、時分割駆動による人体検知センサの平均電力を省エネすることが記載されている。また、機器が操作中には、人体検出センサを駆動停止して更に省エネしている。なお、この特許文献１において、ジョブ実行中に関する省エネ対策についての記載はない。
【０００３】
特許文献２には、画像処理装置に人感センサを設置して、当該画像処理装置に近づいてきた人を検出して、画像処理装置の電源を立上げて、消費電力の低減と利便性の両立を実現することが提案されている。
【０００４】
より詳しくは、人感センサとして、２点に設置された距離検出手段を採用し、人体の移動方向が所定のエリアに向かっているかどうかを判断し、その判断結果に基づいて、画像形成装置本体を制御しており、人感センサによる人体の接近の際、画像形成装置に近づいてきて、操作することなく素通りするといった事象（単なる歩行者）に対して、前記立上げが実行される場合を含んでいる。
【０００５】
特許文献３には、省電力モードから通常モードに復帰する際の操作性向上を目的として、通常モードから省電力モードに移行する所定の移行時間を、画像形成装置の使用態様に対応させて変更することが記載されている。
【０００６】
また、人感センサを用いた人の機器への接近探知の技術として、人感照度センサ受光量検知と振動センサを併用すること（特許文献４参照）、通りすがりの人の誤検知防止対策（特許文献５参照）、焦電型赤外線センサの検出精度を向上する技術（特許文献６参照）等が提案されている。
【先行技術文献】
【特許文献】
【０００７】
【特許文献１】特開２００２−０７１８３３号公報
【特許文献２】特開平０５−０４５４７１号公報
【特許文献３】特開２００３−２５５７７６号公報
【特許文献４】特開２００４−１７５０９９号公報
【特許文献５】特開平０９−１６６９４３号公報
【特許文献６】特開平０６−２４２２２６号公報
【発明の概要】
【発明が解決しようとする課題】
【０００８】
本発明は、移動体の検出状態で処理部への電力供給を制御する場合に、当該処理部が少なくとも電力供給形態が異なる複数の状態の間を遷移することを前提として、当該処理部の各状態の下で電力の無駄を改善することができる画像処理装置、電力供給制御プログラムを得ることが目的である。
【課題を解決するための手段】
【０００９】
請求項１に記載の発明は、焦電型センサであって、第１の領域で移動体を検出する第１の検出手段と、前記第１の領域と少なくとも一部が重複し、該第１の領域より狭い第２の領域で移動体を検出する第２の検出手段と、前記第２の検出手段で移動体の存在を検出している際に、前記第１の検出手段で移動体の移動が検出されなかったときに、スリープモードを解除する。
【００１０】
請求項２に記載の発明は、前記請求項１に記載の発明において、前記第１の検出手段で移動体を検出した時点で、前記第２の検出手段へ電力を供給する電力供給手段をさらに有する。
【００１１】
請求項３に記載の発明は、前記請求項１又は請求項２に記載の発明において、画像形成部と、当該画像形成部に対して支持体を介して設けられた画像読取部とを備え、前記第１の検出手段及び前記第２の検出手段が、前記支持体に取り付けられている。
【００１３】
請求項４に記載の発明は、前記請求項１〜請求項３の何れか１項記載の発明において、前記第２の検出手段は、前記移動体の有無を検出する反射型センサである。
【００１４】
請求項５に記載の発明は、コンピュータに、焦電型センサであって、第１の領域で移動体を検出する第１の検出手段の検出結果、並びに前記第１の領域と少なくとも一部が重複し、該第１の領域より狭い第２の領域で移動体を検出する第２の検出手段の検出結果に基づいて、前記第２の検出手段で移動体の存在を検出している際に、前記第１の検出手段で移動体の移動が検出されなかったときに、スリープモードを解除させる。
【発明の効果】
【００１７】
請求項１に記載の発明によれば、移動体の検出状態で、例えば処理部への電力供給を制御する場合があり、このような場合に、本構成を有しない場合に比べて電力の無駄を改善する一方、利便性も考慮することができる。
【００１８】
請求項２に記載の発明によれば、本構成を有しない場合に比べて電力消費を軽減することができる。
【００１９】
請求項３に記載の発明によれば、本構成を有しない場合に比べて、最適な位置に取り付けることができる。
【００２１】
請求項４に記載の発明によれば、移動体の有無を検出することができる。
【００２２】
請求項５に記載の発明によれば、移動体の検出状態で、例えば処理部への電力供給を制御する場合がある。
【００２３】
このような場合に、本構成を有しない場合に比べて電力の無駄を改善する一方、利便性も考慮することができる。
【図面の簡単な説明】
【００２４】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】画像処理装置における、各モード状態と、当該モード状態の移行の契機となる事象を示したタイミングチャートである。
【図６】本実施の形態にかかる実施例であり、画像処理装置及びその周辺示す平面図である。
【図７】本実施の形態に係る節電モードへ移行する際、節電モード移行時割込ルーチンを示す制御フローチャートである。
【図８】本実施の形態に係る節電モード中監視制御ルーチンを示す制御フローチャートである。
【図９】第１の人感センサ、第２の人感センサの出力信号における、図６に示すパターンＡのタイミングチャートである。
【図１０】第１の人感センサ、第２の人感センサの出力信号における、図６に示すパターンＢのタイミングチャートである。
【図１１】第１の人感センサ、第２の人感センサの出力信号における、図６に示すパターンＣのタイミングチャートである。
【図１２】本実施の形態に係るジョブ実行指示時に実行される電力供給制御ルーチンを示すフローチャートである。
【図１３】変形例１に係るジョブ実行指示時に実行される電力供給制御ルーチンを示すフローチャートである。
【図１４】変形例２に係るジョブ実行指示時に実行される電力供給制御ルーチンを示すフローチャートである。
【図１５】変形例３にジョブ実行指示時に実行される電力供給制御ルーチンを示すフローチャートである。
【図１６】図１４の変形例２の電力供給制御の実施例を示すタイムチャートである。
【図１７】スタンバイモード時におけるスリープモード遷移制御ルーチンを示すフローチャートである。
【図１８】（Ａ）は画像読取部の下面に取付けられた人感センサ及びその周辺の取付構造を示す斜視図、（Ｂ）は図３（Ａ）の拡大斜視図である。
【図１９】（Ａ）は開口面積が異なる複数の開口部が形成されたマスクの正面図、（Ｂ）はそれぞれの開口部での検出領域を示す斜視図である。
【図２０】（Ａ）は開口軸が左右に偏心した複数の開口部が形成されたマスクの正面図、（Ｂ）はそれぞれの開口部での検出領域を示す斜視図である（ＩＣカードリーダー対応）
【図２１】（Ａ）は開口位置が奥行き方向に偏心した複数の開口部が形成されたマスクの正面図、（Ｂ）はそれぞれの開口部での検出領域を示す斜視図である。
【図２２】（Ａ）は開口位置、形状、面積等が異なる複数の自由形状開口部が形成されたマスクの正面図、（Ｂ）はそれぞれの開口部での検出領域を示す斜視図である（オプション装置対応）
【図２３】本実施の形態に係り画像処理装置の省エネ性能と利便性とを両立するための人感センサ感度及び節電移行タイマの調整段階を示す概念図である。
【図２４】第２の人感センサ３０が故障し、第１の人感センサの単独によるスリープモード時監視制御ルーチンを示すフローチャートである。
【図２５】画像処理装置のモード毎の、第１の人感センサ、第２の人感センサへの電力供給、電力非供給のパターン例を示すタイミングチャートである。
【発明を実施するための形態】
【００２５】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００２６】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００２７】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００２８】
図２には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００２９】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００３０】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３１】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００３２】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００３３】
（制御系ハード構成）
図３は、画像処理装置１０の制御系のハード構成の概略図である。
【００３４】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。
【００３５】
また、画像処理装置１０は、電源装置２０２を備えており、メインコントローラ２００とはバス３３Ｅで接続されている。電源装置２０２は、商用電源２４２から電力の供給を受けている。電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００３６】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００３７】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電）。
【００３８】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００３９】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００４０】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００４１】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００４２】
［電源装置２０２］
図４に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００４３】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００４４】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００４５】
また、第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００４６】
第２の電源部２５０の２４Ｖ電源部２５０Ｈ（ＬＶＰＳ２）及び５Ｖ電源部２５０Ｌ（ＬＶＰＳ１）は、選択的に、画像読取部電源供給部２５８、画像形成部電源供給部２６０、ファクシミリ通信制御回路電源供給部２６４、ＵＩタッチパネル電源供給部２６６に接続されている。
【００４７】
画像読取部電源供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００４８】
画像形成部電源供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００４９】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第５のサブ電源スイッチ２７４（以下、「ＳＷ−５」という場合がある。）を介して、ファクシミリ通信制御回路２３６及び画像形成部２４０に接続されている。
【００５０】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第６のサブ電源スイッチ２７６（以下、「ＳＷ−６」という場合がある。）を介して、ＵＩタッチパネル２１６に接続されている。
【００５１】
前記第２のサブ電源スイッチ２６８、第３のサブ電源スイッチ２７０、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電源供給先の各デバイス内に配置されても良い。
【００５２】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００５３】
（監視制御）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「スリープモード（節電モード）」という場合がある。
【００５４】
スリープモードは、例えば、画像処理が終了した時点でタイマを起動させることで移行可能である。すなわち、前記タイマが起動してから所定時間をカウントすることで電力供給を停止させている。なお、所定時間が経過するまでに、何らかの操作（ハードキーの操作等）があれば、当然、スリープモードへのタイマカウントは中止され、次の画像処理終了時からタイマが起動される。
【００５５】
一方、上記スリープモード中において、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００５６】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、第１のサブ電源スイッチ２５６、第２のサブ電源スイッチ２６８、第３のサブ電源スイッチ２７０、第５のサブ電源スイッチ２７４、第６のサブ電源スイッチ２７６を制御することで、電力を供給を行なうことが前提である。
【００５７】
また、メインコントローラ２００のＩ／Ｏ２１０には、節電解除ボタン２６が接続されており、節電中に使用者がこの節電解除ボタン２６を操作することで、節電が解除可能となっている。
【００５８】
ここで、スリープモードで監視するためには、節電中監視制御部２４以外に、節電解除ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００５９】
なお、スリープモードの特定の期間（図５に示すアウェイクモード（ａｗｋ）において、ＵＩタッチパネル２１６等の入力系を主体とした必要最小限の電力供給を含む。
【００６０】
ところで、スリープモード時に使用者が画像処理装置１０の前に立ち、その後に節電解除ボタン２６を操作して、電力供給を再開した場合、画像処理装置１０が立ち上がるまでに時間を要する場合があった。
【００６１】
そこで、本実施の形態では、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電解除ボタン２６と第１の人感センサ２８、第２の人感センサ３０とを併用しているが、第１の人感センサ２８、第２の人感センサ３０のみで全ての監視を行うことも可能である。
【００６２】
第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００６３】
なお、第１の人感センサ２８は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。
【００６４】
第１の人感センサ２８の仕様は、画像処理装置１０の周囲において、人の動きを検出するものである。この場合、焦電素子の焦電効果を用いた赤外線センサ等が代表的である（焦電型センサ）。本実施の形態では、第１の人感センサ２８として焦電型センサを適用している。
【００６５】
この第１の人感センサ２８に適用された焦電素子の焦電効果を用いたセンサの最大の特徴は、検出領域が広いことである。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００６６】
一方、第２の人感センサ３０の仕様は、人の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００６７】
この第２の人感センサ３０に適用された反射型センサ等の最大の特徴は、受光部に入る光を遮断する／しないによって人の有無を確実に検出することである。また、投光部から投光される光量等により、受光部へ入射する光量に制限があるため、比較的近距離が検出領域である。
【００６８】
なお、第１の人感センサ２８、第２の人感センサ３０として、以下に示す機能をそれぞれ達成することが可能であれば、第１の人感センサ２８、第２の人感センサ３０として、焦電型センサや反射型センサに限定されるものではない。
【００６９】
上記構成の第１の人感センサ２８、第２の人感センサ３０の適用形態は、画像処理装置１０の状態（モード）によって設定する必要がある。
【００７０】
図５は、画像処理装置１０における、各モード状態と、当該モード状態の移行の契機となる事象を示したタイミングチャートである。
【００７１】
画像処理装置１０は、処理がなされていないと動作状態は、スリープモードとなり、本実施の形態では、節電中監視制御部２４にのみ電力が供給されている。
【００７２】
ここで、立ち上げ契機（立ち上げトリガの検出、或いは操作部の操作入力（キー入力））があると、動作状態はウォームアップモードへ遷移する。
【００７３】
なお、立ち上げトリガとは、操作者による節電解除操作、第１の人感センサ２８、第２の人感センサ３０による検出結果に基づく信号や情報等がある。
【００７４】
ウォームアップモードは画像処理装置１０を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。
【００７５】
ウォームアップモードによる暖機運転が終了すると、画像処理装置１０はスタンバイモードに遷移するようになっている。
【００７６】
スタンバイモードは、文字通り「事に備えて準備が完了している」モードであり、画像処理装置１０においては、画像処理の動作が即実行できる状態となっている。
【００７７】
このため、キー入力としてジョブ実行操作があると、画像処理装置１０の動作状態は、ランニングモードに遷移し、指示されたジョブに基づく画像処理が実行されるようになっている。
【００７８】
画像処理が終了すると（連続した複数のジョブが待機している場合は、その連続したジョブの全てが終了したとき）、画像処理装置１０の動作状態はスタンバイモードへ遷移する。このスタンバイモード中にジョブ実行指示があれば、再度ランニングモードへ遷移し、立ち下げトリガの検出がある、或いは予め定めた時間が経過したとき、スリープモードへ遷移するようになっている。
【００７９】
なお、立ち下げトリガとは、第１の人感センサ２８、第２の人感センサ３０による検出結果に基づく信号や情報等がある。
【００８０】
なお、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【００８１】
上記説明した各動作状態において、第１の人感センサ２８、第２の人感センサ３０は、以下に示す動作形態の契機を基本機能としている。
（動作形態１）  スリープモード中に移動体（使用者）の検出によるスタンバイモードへの遷移制御
このスリープモード中において、第１の人感センサ２８と第２の人感センサ３０に対して、常に、それぞれに電力を供給しておいてもよいが、まず、画像処理装置１０の周囲を監視する第１の人感センサ２８にのみ電力を供給し、この第１の人感センサ２８により移動体（使用者）を検知した時点で、第２の人感センサ３０へ電力を供給するようにしてもよい。
（動作形態２）  ランニングモード中に処理部の部分節電制御
連続するジョブの有無、内容によって部分節電を実行することを前提として、第１の人感センサ２８、第２の人感センサ３０により、使用者が一時的に画像処理装置１０を離れた場合に、節電対象を増加することが可能である。
（動作形態３）  スタンバイモード中に移動体（使用者）の未検出によるスリープモードへの遷移制御
スタンバイモードからスリープモードへの遷移は、タイマによる遷移制御と併用することが好ましい。
【００８２】
例えば、タイマを主体として、使用者がある程度遠ざかったら（第２の人感センサ３０で未検知状態となったら）、タイマの時間を短縮し、さらに、使用者が完全に不在（第１の人感センサ２８での未検出となったら）、タイマに残り時間があっても強制的にスリープモードへ遷移させるといった制御が可能である。
【００８３】
次に、本実施の形態の作用を説明する。
【００８４】
上記の如く画像処理装置１０は、スリープモード、ウォームアップモード、ランニングモードの間を相互に遷移しており、各モード毎に電力供給量が異なっている。
【００８５】
本実施の形態の画像処理装置１０では、予め定められた条件が揃うと、スリープモードへ移行する。このスリープモードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。この場合、メインコントローラ２００に接続されている節電解除ボタン２６の機能も停止されることが好ましい。このため、周囲から画像処理装置１０を見ると、メイン電源スイッチが切られている状態とほぼ同等の状態となる。すなわち、スリープモードが確実に実行されていることが、周囲から確認可能な状態となる（「見える化」の実現）。
【００８６】
ここで、本実施の形態では、第１の人感センサ２８、第２の人感センサ３０を適用し、当該第１の人感センサ２８、第２の人感センサ３０を画像処理装置１０の動作状態（各モード）に適応させ、画像処理装置１０の全体として、消費電力を軽減するための制御を実行している。
【００８７】
以下では、前述した立ち上がりトリガ、並びに、立ち下がりトリガとして第１の人感センサ２８、第２の人感センサ３０に用いた制御、並びに、ランニングモードでの部分節電のために第１の人感センサ２８、第２の人感センサ３０を用いた制御について説明する。
【００８８】
（立ち上げトリガ「スリープモードからウォームアップモードへの遷移制御」）
第１の人感センサ２８は、画像処理装置１０の周囲において、第２の人感センサ３０の検出領域よりも広い領域を検出領域（以下、「第１の領域Ｆ」という）としている。例えば、第１の人感センサ２８の検出領域は、画像処理装置１０が設置されている場所の環境にもよるが、目安として２〜３ｍ程度である（図６の第１の領域Ｆ(far)参照）。
【００８９】
一方、第２の人感センサ３０は、前記第１の人感センサ２８の検出領域（第１の領域Ｆ）よりも狭い領域を検出領域（以下、「第２の領域Ｎ」という）としている。例えば、第２の人感センサ３０の検出領域は、画像処理装置１０のＵＩタッチパネル２１６やハードキーの操作が可能な範囲であり、目安として０〜０．５ｍ程度である（図６の第２の領域Ｎ(near)参照）。
【００９０】
第１の人感センサ２８の仕様は、人の動きを検出するものであり、焦電素子の焦電効果を用いた赤外線センサ等が代表的である。
【００９１】
この第１の人感センサ２８の最大の特徴は、検出領域が広いことである（前記２〜３ｍ、又はそれ以上が可能）。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００９２】
本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００９３】
なお、当該「静止」を定義して第１の人感センサ２８の感度を調整するのではなく、感度は、比較的おおまか、かつ標準的に調整し、当該第１の人感センサ２８の検出状態に依存するようにしてもよい。すなわち、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とすればよい。
【００９４】
第２の人感センサ３０の仕様は、人の有無（存在・不存在）を検出するものであり、投光部と受光部とを備えた反射型センサ等が代表的である。なお、投光部と受光部とが分離された形態であってもよい。
【００９５】
この第２の人感センサ３０の最大の特徴は、受光部に入る光を遮断する／しないによって人の有無を確実に検出することである。また、投光部から投光される光量等により、受光部へ入射する光量に制限があるため、比較的近距離が検出領域である（前記０〜０．５ｍ前後）。
【００９６】
ここで、本実施の形態の画像処理装置１０に搭載される、前記第１の人感センサ２８及び第２の人感センサ３０は、前述したように前記節電中監視制御部２４に接続され、その検出信号が節電中監視制御部２４へ入力されるようになっている。
【００９７】
節電中監視制御部２４では、第１の人感センサ２８及び第２の人感センサ３０からの信号に基づいて、以下の３形態を見極めるようになっている。
（第１の形態)
人が画像処理装置１０に対して、使用目的で操作可能位置まで近づいてきている。
【００９８】
この第１の形態は、まず、第１の領域に人が侵入してきたことを第１の人感センサ２８により検出し、その後、この第１の人感センサ２８による検出の継続中に、第２の領域に人が侵入してきたことを第２の人感センサ３０により検出した後、第２の領域内での第１の検出手段による人の未検出（静止）という流れが確立することで見極めが可能となる（図６のＡ線矢視の動向（Ａパターン）参照）。
（第２の形態）
人が処理装置を使用目的ではないが、操作可能位置まで近づいてきている。
【００９９】
この第２の形態は、まず、第１の領域に人が侵入してきたことを第１の人感センサ２８により検出し、その後、この第１の人感センサ２８による検出の継続中に、第２の領域に人が侵入してきたことを第２の人感センサ３０により検出し、第２の領域内での第１の検出手段による人の検出（移動）が継続されたまま、第２の領域から出て（第２の人感センサ３０による未検出）、さらに、第１の領域から出る（第１の人感センサ２８による未検出）という流れが確立することで見極めが可能となる（図６のＢ線矢視の動向（Ｂパターン）参照）。
（第３の形態）
人が処理装置の操作可能位置まで近づかないが、第１の形態、第２の形態に移行する可能性のある距離まできている。
【０１００】
この第３の形態は、まず、第１の領域に人が侵入してきたことを第１の人感センサ２８により検出し、その後、第２の人感センサ３０による人検出がない状態で、第１の領域から出る（第１の人感センサ２８による未検出）という流れが確立することで見極めが可能となる（図６のＣ線矢視の動向（Ｃパターン）参照）。
【０１０１】
節電中監視制御部２４では、前記第１の人感センサ２８及び第２の人感センサ３０の検出信号に基づく、上記３種類の形態の確定に基づいて、まず、メインコントローラ２００におけるＵＩタッチパネル２１６や節電解除ボタン２６を含むコピー実行等を指示するハードキー等の入力系への電力供給を実行する。この状態は、依然としてスリープモードと定義してもよいし、節電中監視制御部２４のみの電力供給よりも電力供給量が増加するので、アウェイクモード「ａｗｋ」（目覚めモード）として定義してもよい（図５の遷移図における、スリープモード範囲の括弧［  ］内参照）。
【０１０２】
その後、ＵＩタッチパネル２１６又はハードキー等による操作指示によって、当該操作指示された機能に必要なデバイスに対して電力供給を実行する。
【０１０３】
なお、節電解除ボタン２６の操作同様、全てのデバイスが一斉に電力供給されるようにしてもよい。
【０１０４】
ここで、本実施の形態では、上記スリープモード中の画像処理装置１０に対して、電力供給を再開させる契機（立ち上げトリガ）として、第１の人感センサ２８、第２の人感センサ３０（以下、図８において単に「第１」、「第２」と記す場合がある）により、画像処理装置１０の周囲を監視して、当該画像処理装置１０に接近してくる人が操作を目的としているか否かを見極めて、電力供給を再開するか否かを判定するようにした。
【０１０５】
図６は、画像処理装置１０及びその周辺示す平面図であり、壁面Ｗに沿って配置された画像処理装置１０の遠方に第１の領域Ｆ、第２の領域Ｎが設定されている。
【０１０６】
ここで、図６には、このような画像処理装置１０の設置状態で、大きく分類して、人の動きとして、パターンＡ〜パターンＣが示されている。
【０１０７】
パターンＡは、人が画像処理装置１０の操作可能位置まで近づき、使用目的で操作のため静止した後、離れていく移動軌跡であり、移動軌跡としては、領域外（第１段階）→領域Ｆ（第２段階）→領域Ｎ（第３段階。さらに静止することで、第４段階と判定され、節電解除となる。）→領域Ｆ（第２段階）→領域外（第１段階）の順になる。
【０１０８】
パターンＢは、人が画像処理装置１０の操作可能位置まで近づき通過していく移動軌跡であり、移動軌跡としては、領域外（第１段階）→領域Ｆ（第２段階）→領域Ｎ（第３段階（移動継続））→領域Ｆ（第２段階）→領域外（第１段階）の順になる。
【０１０９】
パターンＣは、人が画像処理装置１０の操作可能位置までは近づかないで近傍を通過していく移動軌跡であり、移動軌跡としては、領域外（第１段階）→領域Ｆ（第２段階）→領域外（第１段階）の順になる。
【０１１０】
図７、図８は、スリープモードを制御するためのフローチャートである。
【０１１１】
まず、図７において、スリープモードへ移行する際、スリープモード移行時割込ルーチンが実行され、ステップ１００において、後述する人感センサ監視段階を「第１段階」に設定し、次いで、ステップ１０２へ移行して、図８のフローチャートの起動を指示し、このルーチンは終了する。
【０１１２】
図８は、スリープモード中監視制御ルーチンを示すフローチャートである。
【０１１３】
ステップ１０４では、現在の段階区分を判定する。
【０１１４】
なお、この図８のフローチャートにおいて判定される段階区分として、第１段階〜第４段階の４段階を設定している。
【０１１５】
第１段階は、人が第１の領域Ｆ（図６参照）よりも外にいるか、或いは第１の領域Ｆ内（第２の領域Ｎ（図６参照）を除く）で静止している状態を示す。
【０１１６】
第２段階は、人が第１の領域Ｆ内にいるが、第２の領域には至っておらず、移動中である状態を示す。
【０１１７】
第３段階は、人が第２の領域Ｎ内で移動している状態を示す。
【０１１８】
第４段階は、人が第２の領域Ｎ内で静止している状態を示す。
【０１１９】
なお、図８に示すスリープモード監視制御ルーチンが起動された時点では、段階区分として第１段階が登録されているため、ステップ１０４では、現在の段階として第１段階と判定される。
【０１２０】
（第１段階）
ステップ１０４で第１段階と判定されると、ステップ１０６へ移行して、第１の人感センサ２８がオン（ハイレベル信号出力）か否かが判断される。このステップ１０６で否定判定、すなわち、第１の人感センサ２８がオフ（ローレベル信号出力）の場合はステップ１０８へ移行して、段階区分を第１段階に設定（更新）してステップ１０４へ戻る。
【０１２１】
また、ステップ１０６で肯定判定、すなわち、第１の人感センサ２８がオンの場合は、ステップ１１０へ移行して、段階区分を第２段階に設定（更新）してステップ１０４へ戻る。
【０１２２】
（第２段階）
前記ステップ１０４で第２段階と判定されると、ステップ１１２へ移行して、第１の人感センサ２８がオンか否かが判断される。このステップ１１２で否定判定、すなわち、第１の人感センサ２８がオフの場合はステップ１１４へ移行して、段階区分を第１段階に設定（更新）してステップ１０４へ戻る。
【０１２３】
また、ステップ１１２で肯定判定、すなわち、第１の人感センサ２８がオンの場合は、ステップ１１６へ移行して、第２の人感センサ３０がオンか否かが判断される。このステップ１１６で否定判定、すなわち、第２の人感センサ３０がオフの場合はステップ１１４へ移行して、段階区分を第１段階に設定（更新）してステップ１０４へ戻る。
【０１２４】
また、ステップ１１６で肯定判定、すなわち、第２の人感センサ３０がオンの場合は、ステップ１１８へ移行して、段階区分を第３段階に設定（更新）してステップ１０４へ戻る。
【０１２５】
（第３段階）
前記ステップ１０４で第３段階と判定されると、ステップ１２０へ移行して、第１の人感センサ２８がオンか否かが判断される。このステップ１２０で否定判定、すなわち、第１の人感センサ２８がオフの場合はステップ１２２へ移行して、段階区分を第４段階とする。
【０１２６】
（第４段階）
この第４段階では、人が画像処理装置１０の前で立ち止まっていることを意味しているため、言い換えれば、人が画像処理装置１０を操作目的で接近して立っているものと想定され、ステップ１２２からステップ１２４へ移行して、メインコントローラ２００のＣＰＵ２０４に対して、スリープモードから電力供給モードへ移行するように指示し、このルーチンは終了する。
【０１２７】
メインコントローラ２００では、電力供給モードへ移行するように指示されると、少なくとも、ＵＩタッチパネル２１６の機能を立ち上げ（バックライトを含む）、節電解除ボタン２６を含むハードキーの操作を有効として、使用者の操作の待機状態とする。
【０１２８】
この結果、使用者は必要最小限の電力を受けているＵＩタッチパネル２１６等から例えば、コピーをするための操作を行なうと、画像読取部２３８、画像形成部２４０に電力供給が実行される。
【０１２９】
図８に示される如く、ステップ１２０で肯定判定、すなわち、第１の人感センサ２８がオンの場合は、ステップ１２６へ移行して、第２の人感センサ３０がオンか否かが判断される。このステップ１２６で否定判定、すなわち、第２の人感センサ３０がオフの場合は、ステップ１２８へ移行して、段階区分を第２段階に設定（更新）してステップ１０４へ戻る。
【０１３０】
また、ステップ１２６で肯定判定、すなわち、第２の人感センサ３０がオンの場合は、ステップ１３０へ移行して、段階区分を第３段階に設定（更新）してステップ１０４へ戻る。
【０１３１】
図９〜図１１は、前記立ち上げトリガとして第１の人感センサ２８、第２の人感センサ３０を適用した場合において実行される人の接近による画像処理装置１０の使用目的か否かの判定を具体例を示したものである。
【０１３２】
（パターンＡ）
図９は、第１の人感センサ２８、第２の人感センサ３０の出力信号における、前記パターンＡのタイミングチャートである。
【０１３３】
まず、第１の人感センサ２８で人の動きを検出し（図９（Ａａ）参照）、この人の動きを検出している間に第２の人感センサ３０で人の存在を検出する（図９（Ａｂ）参照）。
【０１３４】
この時点では、単に人が画像処理装置１０の前にいるだけであり、操作目的なのか素通りなのかが不明である。
【０１３５】
次に、第２の人感センサ３０で人の存在を検出している状態で、第１の人感センサ２８による人の動きが検出されなくなる（図９（Ａｃ）参照）。この状態が、画像処理装置１０の前で人が立ち止まったことを意味し、画像処理装置１０を操作する意志があると判断して、スリープモードを解除することになる。
【０１３６】
画像処理装置１０から人が離れるときは、まず、第２の人感センサ３０で人の存在を検出している状態で第１の人感センサ２８で人の動きを検出し（図９（Ａｄ）参照）、次いで、第２の人感センサ３０による人の存在を検出しなくなり（図９（Ａｅ）参照）、最後に、第１の人感センサ２８で人の動きを検出しなくなったことで（図９（Ａｆ）、画像処理装置１０から離れた（領域Ｆよりも遠くへ離れた）ことが認識される。
【０１３７】
なお、本実施の形態では、画像処理装置１０から人が離れる状態の判定は必須ではない。
【０１３８】
（パターンＢ）
図１０は、第１の人感センサ２８、第２の人感センサ３０の出力信号における、前記パターンＢのタイミングチャートである。
【０１３９】
まず、第１の人感センサ２８で人の動きを検出し（図１０（Ｂａ）参照）、この人の動きを検出している間に第２の人感センサ３０で人の存在を検出する（図１０（Ｂｂ）参照）。
【０１４０】
この時点では、単に人が画像処理装置１０の前にいるだけであり、操作目的なのか素通りなのかが不明である。
【０１４１】
次に、第１の人感センサ２８で人の動きの検出が継続されている状態で、第２の人感センサ３０による人の存在を検出しなくなり（図１０（Ｂｃ）参照）、最後に、第１の人感センサ２８で人の動きを検出しなくなったことで（図１０（Ｂｄ）参照）、画像処理装置１０から離れた（領域Ｆよりも遠くへ離れた）ことが認識される。
【０１４２】
（パターンＣ）
図１１は、第１の人感センサ２８、第２の人感センサ３０の出力信号における、前記パターンＣのタイミングチャートである。
【０１４３】
まず、第１の人感センサ２８で人の動きを検出し（図１１（Ｃａ）参照）、この人の動きを検出している間に第２の人感センサ３０で人の存在を検出することなく、第１の人感センサ２８で人の動きを検出しなくなったことで（図１１（Ｃｂ）参照）、画像処理装置１０から離れた（領域Ｆよりも遠くへ離れた）ことが認識される。
【０１４４】
なお、本実施の形態では、スリープモード中の電力（節電中監視制御部２４の起動に利用する電力）を商用電源２４２から供給を受けるようにしたが、内部電池、太陽電池、或いは、電力供給モード中に充電した充電池からの電力で動作するようにすれば、スリープモード中は完全に商用電源２４２からの電力供給が遮断される。
【０１４５】
（ランニングモードでの人感センサの適用制御）
通常、立ち下げトリガとしてはタイマが適用され、ランニングモードからスタンバイモードを経て、スリープモードへ遷移する場合、予め定められた時間中、画像処理が一切されていないことを条件としている。
【０１４６】
上記タイマによるスリープモードへの遷移では、全ての処理部が稼働していないことが前提である。言い換えれば、スリープモードの状態から特定の処理が指定された場合を除き、複写処理が実行された後に、画像読取処理が実行されると、タイマは起動しないため、電力供給が不要な画像形成部２４０やファクシミリ通信制御回路２３６に電力が供給された状態となる。これでは、部分節電の機能を充分に発揮したとは言えない。
【０１４７】
しかしながら、その一方で、次のジョブによっては、稼働していない処理部に対して電力供給を継続しておいた方がよい場合もあり得る。
【０１４８】
そこで、第１の人感センサ２８、第２の人感センサ３０の検出情報に基づいて、現在処理しているジョブに対する責任ユーザー（画像処理装置１０の前で処理実行の指示をして待機しているユーザー）がいるかいないかを判断し、当該処理中にも関わらず、画像処理装置１０から離れるような状況を認識した場合に(第１の人感センサ２８、第２の人感センサ３０の人の未検出）、一時的に当該処理に不要な処理部への電力供給を遮断するようにした。
【０１４９】
また、ユーザーが戻ってきた（第１の人感センサ２８で人を検出）時には、電力供給を遮断した処理部への電力供給を再開するようにした。
【０１５０】
画像処理装置１０では、予め定められた条件が揃うと、スリープモードへ遷移する。このスリープモードでは、スリープモードから復帰する要求のある通信回線検出部、ＦＡＸ回線検出部、節電中監視制御部２４などを除くファクシミリ通信制御回路２３６、画像読取部２３８、画像形成部２４０メインコントローラ２００、並びにＵＩタッチパネル２１６に対して電力供給を遮断する。
【０１５１】
図１２は、本実施の形態に係るジョブ実行指示時に実行される電力供給制御ルーチンを示すフローチャートである。
【０１５２】
ステップ１１００では、ジョブスタート処理が実行され、次のステップ１１０２では、当該ジョブが実行中か否かが判断される。
【０１５３】
このステップ１１０２で否定判定されると、ステップ１１２８へ移行する。ステップ１１２８以降の処理は後述する。また、ステップ１１０２肯定判定されると、ステップ１１０４へ移行して、第１の人感センサ２８の検出情報を取得し、次いでステップ１１０６へ移行して、移動体（すなわち、好ましくは、画像処理装置１０の使用者）を検出したか否かが判断される。
【０１５４】
このステップ１１０６で人を検出していると判断された場合は、ジョブ処理指示者が使用者として画像処理装置１０に対面していると判断し、ステップ１１０２へ戻る。
【０１５５】
また、ステップ１１０６で人を検出していないと判断された場合は、ジョブ処理指示者が画像処理装置１０から離れた（人が不在となった）と判断され、ステップ１１０８へ移行する。
【０１５６】
ステップ１１０８では、実行中のジョブ種を特定し、次いでステップ１１１０で特定したジョブ種に基づいて、処理を振り分ける。
【０１５７】
すなわち、ステップ１１１０でジョブ種が「ＳＣＡＮ」、「ＦＡＸ送信」（画像読取ジョブ、ファクシミリ送信ジョブ）と判定された場合は、ステップ１１１２へ移行して、このジョブ種には電力供給の必要がないで処理部（モジュール）として、ＵＩタッチパネル２１６、画像形成部２４０を選択して、節電対象に設定して、ステップ１１１８へ移行する。
【０１５８】
また、ステップ１１１０でジョブ種が「ＰＲＩＮＴ」（画像記録ジョブ）と判定された場合は、ステップ１１１４へ移行して、このジョブ種には電力供給の必要がないで処理部（モジュール）として、ＵＩタッチパネル２１６、画像読取部２３８、ファクシミリ通信制御回路２３６を選択して、節電対象に設定して、ステップ１１１８へ移行する。
【０１５９】
さらに、ステップ１１１０でジョブ種が「ＣＯＰＹ」（画像複写ジョブ）と判定された場合は、ステップ１１１６へ移行して、このジョブ種には電力供給の必要がないで処理部（モジュール）として、ＵＩタッチパネル２１６、ファクシミリ通信制御回路２３６を選択して、節電対象に設定して、ステップ１１１８へ移行する。
【０１６０】
ステップ１１１８では、前記ステップ１１１２、１１１４、１１１６の何れかにおいて、節電対象となった処理部の節電移行処理を実行し、ステップ１１２０へ移行する。
【０１６１】
ステップ１１２０では、前記ステップ１１０４に続いて、再度第１の人感センサ２８、第２の人感センサ３０の検出情報を取得し、次いでステップ１１２２へ移行して、移動体（すなわち、好ましくは、画像処理装置１０の使用者）を検出したか否かが判断される。
【０１６２】
このステップ１１２２で人を検出していると判断された場合は、ジョブ処理指示者（使用者）が画像処理装置１０に向かって戻ってきたと判断し、ステップ１１２４へ移行して、前記ステップ１１１８で実行した節電処理対象の処理部の復帰処理を実行し、ステップ１１０２へ移行する。
【０１６３】
また、ステップ１１２２で人を検出していないと判断された場合は、ジョブ処理指示者が画像処理装置１０から離れた使用者が戻ってきていないと判断され、ステップ１１２６へ移行する。
【０１６４】
ステップ１１２６ではジョブが依然として実行中か否かが判断され、肯定判定された場合は、ステップ１１２２へ移行する。
【０１６５】
また、ステップ１１２６で否定判定、すなわち、ジョブが終了したと判断された場合は、ステップ１１２８へ移行する。このステップ１１２８は、前記ステップ１１０２の否定判定においても移行する。
【０１６６】
ステップ１１２８では、ジョブエンド処理を実行し、次いで、ステップ１１３０へ移行して次のジョブ実行指示があるか否かが判断される。このステップ１１３０で肯定判定されると、ステップ１１００へ戻り、本ルーチンを最初から実行する。また、ステップ１１３０で否定判定された場合は、ステップ１１３２へ移行して、所定時間処理が無いか否かが判断され、否定判定された場合は、ステップ１１３０へ戻り、このステップ１１３０で肯定判定、或いはステップ１１３２で肯定判定されるまで、ステップ１１３０、１１３２を繰り返す。
【０１６７】
ステップ１１３２で肯定判定された場合は、次のジョブ処理が終了して所定時間経過したと判断し、ステップ１１３４へ移行して、全ての処理部に対して節電移行処理を行い、画像処理装置１０をスリープ状態としてこのルーチンは終了する。なお、本実施の形態では、画像処理装置１０のスリープ状態は、メインコントローラ２００の一部（節電中監視制御部２４など）や節電ボタン、回線検出部の最低限のエリアのみに電力供給がなされる状態となる。例えば使用者が大量の原稿をＳＣＡＮで読み込んでいる場合に、ジョブ時間がかかるため画像処理装置から離れる事があるが、不在に合せて画像形成部などをジョブ中に節電できる。またジョブ中に戻ってくれば元の状態に復帰するので、ジョブ終了後に画像形成部などの復帰を待つ事なく次のジョブを続ける事が出来る。
【０１６８】
（変形例１）
図１３は、図１２で説明したジョブ実行指示時に実行される電力供給制御ルーチンの変形例（変形例１）を示すフローチャートである。
【０１６９】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【０１７０】
これに対して、変形例１では、上記実施の形態の「人の不在」という節電処理の条件に加え、現在実行中のジョブの処理量を判定対象とした点にある。
【０１７１】
なお、図１３では、図１２に示すフローチャートで示すステップと同一処理を実行するステップについては、同一の符号の後に「Ａ」を付して、説明を省略する。
【０１７２】
図１３は、ステップ１１０６Ａとステップ１１０８Ａの間にステップ１１５０が追加されたものである。
【０１７３】
ステップ１１０６Ａで人未検出と判定されるとステップ１１５０へ移行する。ステップ１１５０では、現在実行中のジョブの処理量が基準値以上か否かが判断され、否定判定された場合はステップ１１０２Ａへ移行し、肯定判定された場合はステップ１１０８Ａへ移行する。
【０１７４】
処理量の基準値としては、例えば、（１）ジョブスタートしてから２０秒以上経過した、（２）処理枚数が５０枚以上、（３）処理枚数からの換算値で処理時間が２０秒以上等が挙げられるが、この（１）〜（３）の条件に限られるものではない。ジョブ処理量が基準値より小さい場合は、人が不在となっても節電させない為、短いジョブの実行中に次の原稿の準備などで画像処理装置から離れても節電復帰を待つ時間が発生しない。長いジョブ時の省エネ性と短いジョブ時の利便性が自動で対応できる。
【０１７５】
（変形例２）
図１４は、図１２で説明したジョブ実行指示時に実行される電力供給制御ルーチンの変形例（変形例２）を示すフローチャートである。
【０１７６】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【０１７７】
これに対して、変形例２では、上記実施の形態の「人の不在」という節電処理の条件に加え、当該不在となってから基準値を超えて不在が継続されたか否かを判定対象とした点にある。
【０１７８】
なお、図１４では、図１２に示すフローチャートで示すステップと同一処理を実行するステップについては、同一の符号の後に「Ｂ」を付して、説明を省略する。
【０１７９】
図１４は、ステップ１１０６Ｂとステップ１１０８Ｂの間にステップ１１５２が追加されたものである。
【０１８０】
ステップ１１０６Ｂで人未検出と判定されるとステップ１１５２へ移行する。ステップ１１５２では、未検出（不在時間）が基準値以上か否かが判断され、否定判定された場合はステップ１１０２Ｂへ移行し、肯定判定された場合はステップ１１０８Ｂへ移行する。
【０１８１】
不在時間の基準値としては、例えば、未検出となってから１０秒以上等が挙げられるが、この条件に限られるものではない。
【０１８２】
（変形例３）
図１５は、図１２で説明したジョブ実行指示時に実行される電力供給制御ルーチンの変形例（変形例３）を示すフローチャートである。
【０１８３】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【０１８４】
これに対して、変形例３では、上記実施の形態の「人の不在」という節電処理の条件に加え、現在実行中のジョブの処理量を判定対象とした点、並びに、節電処理に段階（プロセス１、プロセス２）を設定した点にある。
【０１８５】
上記プロセス１は、節電状態から復帰時間が早い処理部を対象とする節電移行であり、ＵＩタッチパネル２１６が挙げられる。
【０１８６】
一方、プロセス２は、節電状態から復帰時間が遅い処理部を対象とする節電移行であり、ファクシミリ通信制御回路２３６、画像読取部２３８、画像形成部２４０が挙げられる。
【０１８７】
なお、画像処理装置１０の機種によっては、画像読取部２３８が復帰時間の早い方に分類される場合がある。
【０１８８】
なお、図１５では、図１２に示すフローチャートで示すステップと同一処理を実行するステップについては、同一の符号の後に「Ｃ」を付して、説明を省略する。
【０１８９】
図１５は、ステップ１１０６Ｃとステップ１１１８Ｃの間に処理が追加されたものである。
【０１９０】
ステップ１１０６Ｃで人未検出と判定されるとステップ１１５４へ移行する。ステップ１１５４では、実行中のジョブ種を特定し、次いでステップ１１５６へ移行して、復帰時間が早い処理部を節電対象に設定し（プロセス１）、ステップ１１５８へ移行する。
【０１９１】
ステップ１１５８では、現在実行中のジョブの処理量が基準値以上か否かが判断され、否定判定された場合はステップ１１６０へ移行し、肯定判定された場合はステップ１１６２へ移行する。
【０１９２】
処理量の基準値としては、例えば、（１）ジョブスタートしてから２０秒以上経過した、（２）処理枚数が５０枚以上、（３）処理枚数からの換算値で処理時間が２０秒以上等が挙げられるが、この（１）〜（３）の条件に限られるものではない。
【０１９３】
ステップ１１６０では、第１の人感センサ２８の検出情報を取得し、次いでステップ１１６４へ移行して、移動体（すなわち、好ましくは、画像処理装置１０の使用者）を検出したか否かが判断される。
【０１９４】
このステップ１１６４で人を検出していると判断された場合は、ステップ１１６６へ移行して、プロセス１の復帰処理を実行し、ステップ１１００Ｃへ移行する。
【０１９５】
また、ステップ１１６４で人を検出していないと判断された場合は、ステップ１１５８へ移行する。
【０１９６】
一方、ステップ１１６２では、実行中のジョブ種を特定し、次いでステップ１１６８で特定したジョブ種に基づいて、処理を振り分ける。
【０１９７】
すなわち、ステップ１１６８でジョブ種が「ＳＣＡＮ」、「ＦＡＸ送信」（画像読取ジョブ、ファクシミリ送信ジョブ）と判定された場合は、ステップ１１７０へ移行して、このジョブ種には電力供給の必要がない処理部（モジュール）として、画像形成部２４０を選択して、節電対象に設定して（プロセス２）、ステップ１１１８Ｃへ移行する。
【０１９８】
また、ステップ１１６８でジョブ種が「ＰＲＩＮＴ」（画像記録ジョブ）と判定された場合は、ステップ１１７２へ移行して、このジョブ種には電力供給の必要がない処理部（モジュール）として、画像読取２３８、ファクシミリ通信制御回路２３６を選択して、節電対象に設定して（プロセス２）、ステップ１１１８Ｃへ移行する。
【０１９９】
さらに、ステップ１１６８でジョブ種が「ＣＯＰＹ」（画像複写ジョブ）と判定された場合は、ステップ１１７４へ移行して、このジョブ種には電力供給の必要がない処理部（モジュール）として、ファクシミリ通信制御回路２３６を選択して、節電対象に設定して（プロセス２）、ステップ１１１８Ｃへ移行する。
【０２００】
図１６は、上記図１４（変形例２）の電力供給制御ルーチンに基づく状態遷移の実施例を示すタイミングチャートである。なお、この図１６のタイミングチャートでの、人感センサは、第１の人感センサ２８又は第２の人感センサ３０の何れか一方、或いは両方の組み合わせの何れであってもよい。
【０２０１】
状況としては、画像処理装置１０がスリープ中に、画像処理装置１０を占有するユーザーが、ユーザーＡ→ユーザーＢ→ユーザーＣ→ユーザーＤの順にそれぞれジョブを実行するときの遷移である。
【０２０２】
ユーザーＡは、ジョブ種として、「ＳＣＡＮ」ジョブ、続いて「ＣＯＰＹ」ジョブを実行する。このため、処理部は、まず、「ＳＣＡＮ」ジョブに必要なＵＩタッチパネル２１６と、画像読取部２３８を稼動させる（その他のファクシミリ通信制御回路２３６、画像形成部２４０は節電を維持）。
【０２０３】
ユーザーＡの「ＳＣＡＮ」ジョブが終了すると、次いで、「ＣＯＰＹ」ジョブに必要なＵＩタッチパネル２１６と、画像読取部２３８と、画像形成部２４０を稼動させる（その他のファクシミリ通信制御回路２３６は節電を維持）。
【０２０４】
続いて、次のユーザーＢが、ジョブ種として「ＳＣＡＮ」ジョブ、続いて「（サーバー）ＰＲＩＮＴ」ジョブを実行する。「（サーバー）ＰＲＩＮＴ」ジョブとは、予めサーバーに蓄積した情報をユーザーＢが画像処理装置１０から指示することで読み出し、画像形成するものである。
【０２０５】
ここで、処理部は、現状（ユーザーＡの処理終了時）で稼動している処理部で「ＳＣＡＮ」ジョブが実行可能であるため、処理が継続される。
【０２０６】
ユーザーＢの「ＳＣＡＮ」ジョブの実行中において、途中でユーザーＢが画像処理装置１０から離れ、その時間ｔａが基準時間よりも長くなると（ｔａ＞ｔｓ「ｔｓは基準値」）、実行中の「ＳＣＡＮ」ジョブに不要な処理部であるＵＩタッチパネル２１６、画像形成部２４０をスリープモードへ移行する。
【０２０７】
また、ユーザーＢ（と予測される人）が画像処理装置１０の向かって戻ってきた場合は、当該「ＳＣＡＮ」ジョブの開始時の稼動状態に戻す。
【０２０８】
ユーザーＢの「ＳＣＡＮ」ジョブが終了すると、次いで、「（サーバー）ＰＲＩＮＴ」ジョブに必要なＵＩタッチパネル２１６と、画像形成部２４０を稼動させる（その他のファクシミリ通信制御回路２３６は節電を維持する）。
【０２０９】
ユーザーＢのジョブ処理が終了すると、スリープ移行時間（例えば、１分〜１０分程度）が経過した時点で、スリープモードとなり、全ての処理部が節電状態となる。
【０２１０】
次に、スリープモード中に、ユーザーＣが、ジョブ種として、「（サーバー）ＰＲＩＮＴ」を実行する。このため、処理部は、「（サーバー）ＰＲＩＮＴ」ジョブに必要なＵＩタッチパネル２１６と、画像形成部２４０を稼動させる（その他のファクシミリ通信制御回路２３６、画像読取部２３８は節電を維持）。
【０２１１】
このユーザーＣのジョブ終了後、最後に、ユーザーＤが、ジョブ種として、「ＳＣＡＮ」ジョブ、続いて「（サーバー）ＰＲＩＮＴ」ジョブを実行する。このため、処理部は、まず、「ＳＣＡＮ」ジョブに必要なＵＩタッチパネル２１６と、画像読取部２３８を稼動させる（その他のファクシミリ通信制御回路２３６を維持）。
【０２１２】
ユーザーＤの「ＳＣＡＮ」ジョブの実行中において、途中でユーザーＤが画像処理装置１０から離れたとしても、その離れた時間ｔｂが基準時間よりも短いと（ｔｓ＞ｔｂ「ｔｓは基準値」）、前記ユーザーＢのときと異なり、実行中の「ＳＣＡＮ」ジョブに不要な処理部であるＵＩタッチパネル２１６、画像形成部２４０をスリープモードへは移行しない。
【０２１３】
ユーザーＤの「ＳＣＡＮ」ジョブが終了すると、次いで、「（サーバー）ＰＲＩＮＴ」ジョブに必要なＵＩタッチパネル２１６と、画像形成部２４０を稼動させる（その他のファクシミリ通信制御回路２３６は節電を維持する。
【０２１４】
（立ち下げトリガ「スタンバイモードからスリープモードへの遷移制御」）
基本的には、立ち下げトリガとしては、タイマが適用される。タイマの利点は、予め定めた時間が経過しても画像処理装置１０が何ら動作しない場合に、確実にスリープモードへ遷移される点にある。
【０２１５】
逆に、不利な点は、既に指示されたジョブが終了し、使用者も立ち去っているのも関わらず、タイマによる設定時間に到達せず、画像処理装置１０が不使用状態で放置される点にある。
【０２１６】
図５に示される如く、ランニングモードにおいて画像処理が実行され、タイマ制御により予め定めた時間が経過するとスタンバイモードへ遷移する。さらに、タイマ制御により予め定めた時間が経過するスリープモードへ遷移する。このとき、スリープモードへ遷移すると、次の立ち上げに時間を要するため、利便性を優先するなら、タイマ設定時間を比較的長くとり、省エネ性を優先するなら、タイマ設定時間を比較的短くしなければならず、二律背反の現状では、平均的なタイマ時間の設定となっている。
【０２１７】
そこで、本実施の形態では、スタンバイモードからスリープモードへ遷移する契機（立ち下がりトリガ）として、タイマと共に第１の人感センサ２８と、第２の人感センサ３０とを併用するようにした。
【０２１８】
図１７は、スタンバイモード時におけるスリープモード遷移制御ルーチンを示すフローチャートである。
【０２１９】
ステップ３００では、タイマのタイムアップ時間として時間ｔｍａｘをセットし（ｔｍａｘ＞ｔｍｉｎ）、ステップ３０２へ移行する。
【０２２０】
ステップ３０２では、タイマをスタートさせ、次いでステップ３０４へ移行して第２の人感センサ３０で移動体（使用者）を検知したか否かを判断する。この判断は、画像処理装置１０の前（図６の第２の領域Ｎに相当）に使用者が立っているか否かを判断するものである。
【０２２１】
このステップ３０４で肯定判定されると、ステップ３０６へ移行してタイマのタイムアップ時間をｔｍａｘに変更又は維持して、ステップ３０８へ移行する。なお、ステップ３０２からステップ３０４へ移行した場合は、「維持」となり、後述するステップ３２０からステップ３０４へ移行した場合は、「変更」となる。
【０２２２】
ステップ３０８では、フラグＦをリセット（０）し、ステップ３１０へ移行する。
【０２２３】
ステップ３１０では、現在設定されているタイムアップ時間に到達したか（タイムアップか）否かが判断され、肯定判定されると、ステップ３１２へ移行して、立ち下げトリガを起動して、スリープモードヘの遷移を実行し、このルーチンは終了する。
【０２２４】
前記ステップ３０４において、否定判定されると、ステップ３１４へ移行してタイマのタイムアップ時間をｔｍｉｎに変更又は維持して、ステップ３１６へ移行する。なお、ステップ３０４からステップ３１４へ移行した場合は、「変更」となり、後述するステップ３２０からステップ３１４へ移行した場合は、「維持」となる。
【０２２５】
ステップ３１６では、フラグＦをセット（１）し、ステップ３１８へ移行する。
【０２２６】
このステップ３１８へは、前記ステップ３１０で否定判定された場合にも移行する。
【０２２７】
ステップ３１８では、第１の人感センサ２８で移動体（使用者）を検知したか否かを判断する。この判断は、画像処理装置１０の前よりも遠く、所謂周辺（図６の第１の領域Ｆに相当）に使用者が存在するか否かを判断するものである。
【０２２８】
このステップ３１８において肯定判定されると、ステップ３２０へ移行してフラグＦの状態を判断する、このステップ３２０でＦ＝０と判定された場合はステップ３０４へ戻り、Ｆ＝１と判定された場合はステップ３１４へ戻る。
【０２２９】
また、ステップ３１８で否定判定された場合はステップ３１２へ移行して、タイマのタイムアップまでの残り時間に関係なく、直ちに立ち下げトリガを起動して、スリープモードヘの遷移を実行し、このルーチンは終了する。
【０２３０】
（付加的要件１「第２の人感センサ３０の配置構成」）
本実施の形態では、１個の第１の人感センサ２８と１個の第２の人感センサ３０による移動体（主として使用者）の画像処理装置１０への使用目的による接近を判別するようにしたが、特に、第２の人感センサ３０は、検出領域が狭いので、画像処理装置１０の設置場所、使用者の接近する方向、立ち位置等を含む環境条件を考慮する必要がある。
【０２３１】
このため、画像処理装置１０の設置状態に基づいて、第２の人感センサ３０による検出方向、検出領域、検出領域の形状（輪郭）を含む複数種の要素を調整可能としてもよい。この調整は、前記最大領域Ｍを基準とした、領域制限を意味するものである。
【０２３２】
図１８は、前記画像処理装置１０の操作パネルの下面に、第１の人感センサ２８及び第２の人感センサ３０を取り付けるための取付構造が示されている。なお、第１の人感センサ２８はもととも広域を検出するセンサ（例えば、焦電型センサ）であるので、領域調整は不要であり、本実施の形態では固定構造とした。しかし、以下に示す人感センサ３０の領域調整構造を、第１の人感センサ２８に適用してもよい。
【０２３３】
さらに、本実施の形態では、第１の人感センサ２８及び第２の人感センサ３０の取付位置を画像処理装置１０の操作パネルの下面としているが、画像形成部２４０上に画像読取部２３８を設置するときの支持体に取り付ける構成であってもよい。
【０２３４】
操作パネルの下面部３１には、第２の人感センサ３０を取り付けるための矩形状の溝部３２が取り付けられている。この溝部３２に、第２の人感センサ３０が収容されている。
【０２３５】
図１８（Ｂ）に示される如く、第２の人感センサ３０は、平板状の回路基板部３０Ａと、先端に検出面を備えた筒状の検出部３０Ｂとで構成されており、回路基板部３０Ａが前記溝部３２の底面に突き当てられた固定されている。この結果、検出部３０Ｂの検出面が溝部３２の開口部に位置する。なお、本実施の形態では、検出部３０Ｂにおける検出面の光軸は、回路基板３０Ａの主面に対して直角とされ固定配置されているが、例えば、検出部３０Ｂを回路基板部３０Ａに対して揺動可能に取り付けることで、検出面の光軸を自在に変更する構成としてもよい。この場合、後述する最大領域Ｍ（図１９（Ｂ）〜図２２（Ｂ）参照）の位置が、大きさを変えずに変更されることになる。なお、光軸の自在変更は、多軸構造、ボールジョイント構造、可撓性アーム構造等、特に限定されるものではない。
【０２３６】
前記溝部３２周縁には、前記第２の人感センサ３０の検出部３０Ｂにおける検出面に対向するように、マスク３４が選択的に配置されるようになっている。マスク３４は、開口面積、開口位置、開口形状が異なる開口部３４Ａが形成可能であり、図１８（Ｂ）では、一例として、互いに開口位置が基本中心軸から偏心した３個の開口部３４Ａが形成されたマスク３４を示している。このマスク３４が取り付けられることで、人感センサ２８の検出領域である、前記最大領域Ｍ（図１９（Ｂ）〜図２２（Ｂ）参照）が制限されるようになっている。
【０２３７】
前記溝部３２の周囲には、対向する一対の辺のそれぞれに沿って、互いに平行となるように一対の案内部材３６が取り付けられている。
【０２３８】
案内部材３６は棒状で軸直角断面が略Ｌ字型に形成され、左右対称の状態で取り付けられている。
【０２３９】
この一対の案内部材３６に案内されて、当該案内部材３６の長手方向一端部から、前記マスク３４が摺動するようになっている。マスク３４には、３箇所の取り付け基準中心（図１８（Ｂ）の十字一点鎖線参照）が設定されており、マスク３４は、何れかの基準中心を前記検出部３０Ｂの検出面の光軸に合わせるように位置決めされている。
【０２４０】
なお、マスク３４は、案内部材３６による摺動時の摩擦抵抗の状態にもよるが、前記位置決め後において、溝部３２の周囲にマスク３４をネジ止め、クリップ止め、弾性力による保持等々、周知の着脱可能な構造によって固定することが好ましい。
【０２４１】
なお、後述するマスクパターン（図１９〜図２２参照）は、基本的なパターンをその形態別に分類した設定したものであるが、それぞれのパターンを複合的に設定したパターン（例えば、開口面積が小さく、かつ光軸がずれている、開口位置が左にずれ、かつ開口面積が大きい等）が設定されるマスクを準備してもよい。
【０２４２】
なお、例えば、開口部が存在しないマスク３４を準備し、設置場所に基づいて開口部の形状を型取り板に型取りし、この型取り板基づいて、画像処理装置１０の設置現場でマスク３４を加工するようにしてもよい。また、加工は型取り板を用いず、自由に加工してもよい。
【０２４３】
さらには、検出したい領域を入力することで、最適な開口部３４Ａの形状を演算処理するプログラムを備えた制御機器を搭載、或いは、サービスマンが形態するようにしてもよい。
【０２４４】
上記マスク３４を取り付けることで、第２の人感センサ３０による検出領域が最大範囲Ｍに対して制限され、画像処理装置１０の設置場所に基づいて、操作目的で画像処理装置１０に近づいてくる使用者とそれ以外とを、最大範囲Ｍを用いて判定するよりも、比較的高い確率で判定精度が向上される。
【０２４５】
図１９〜図２２は、マスク３４における様々な開口部３４Ａのパターンが示されている。
【０２４６】
図１９は、開口面積が異なるパターンであり、図１９（Ａ）の上からマスク非装着状態、相対的に中面積マスク状態、相対的に大面積マスク状態、相対的に小面積マスク状態を示している。
【０２４７】
図１９（Ａ）に示される如く、開口部３４Ａの開口面積が異なるパターン（相対的に中面積、大面積、小面積）が形成されたマスク３４を一対の案内部材３６に沿って摺動させると、図１９（Ｂ）に示されるように、同軸円上に異なる半径の検出範囲が設定可能である。
【０２４８】
従って、画像処理装置１０の設置場所が通路である場合、その通路の幅寸法等に合わせて、マスク３４を摺動させることで、最大範囲Ｍを含めて４種類の検出範囲の中から選択して設定する。
【０２４９】
図２０は、開口面積が制限され、かつ開口中心が左右に異なるパターンであり、図２０（Ａ）の上からマスク非装着状態、相対的に非偏心マスク状態、相対的に左偏心マスク状態、相対的に右偏心マスク状態を示している。
【０２５０】
図２０（Ａ）に示される如く、開口部３４Ａの開口面積が制限され、かつ開口中心が左右に異なるパターン（相対的に非偏心、左偏心、右偏心）が形成されたマスク３４を一対の案内部材に沿って摺動させると、図２０（Ｂ）に示されるように画像処理装置１０の幅方向に沿うように３箇所の検出範囲が設定可能である。
【０２５１】
従って、例えば、画像処理装置１０の画像読取部２３８の左右の何れかに認証処理用のＩＣカードリーダ３８が設置され、画像処理装置１０への最初の操作が必ず認証処理であるような場合、当該ＩＣカードリーダ３８の設置場所（画像読取部２３８の右側、或いは左側）によって、検出範囲を設定すればよい。
【０２５２】
図２１は、開口面積が制限され、かつ開口中心が前後に異なるパターンであり、図２１（Ａ）の上からマスク非装着状態、相対的に非偏心マスク状態、相対的に前偏心マスク状態、相対的に奥偏心マスク状態を示している。
【０２５３】
図２１（Ａ）に示される如く、開口部３４Ａの開口面積が制限され、かつ開口中心が前後に異なるパターン（相対的に非偏心、前偏心奥偏心）が形成されたマスク３４を一対の案内部材に沿って摺動させると、図２１（Ｂ）に示されるように画像処理装置１０の奥行き方向に沿うように３箇所の検出範囲が設定可能である。
【０２５４】
従って、例えば、画像処理装置１０の設置場所が、柱に沿って置かれたり、凹んだ場所に置かれ、正面からしか操作を目的とする人が近づいてこないような場合、その近づく通路方向に合わせて、マスク３４を摺動させることで、３種類の検出範囲の中から選択して設定する。
【０２５５】
なお、図１９〜図２１では、開口部３４Ａを円形としたが、矩形、多角形、楕円形、星形等、形状は限定されるものではなく、また、１種類のマスク位置に２以上の開口部が形成されていてもよい。
【０２５６】
図２２は、開口部３４Ａが自由に形成されたマスク３４のパターンであり、図２２（Ａ）の上からマスク非装着状態、扁平マスク状態、相対的に装置左位置ピンポイントマスク状態、相対的に装置右位置ピンポイントマスク状態を示している。
【０２５７】
図２２（Ａ）に示される如く、開口部３４Ａが自由パターン（扁平、装置左位置ピンポイント装置右位置ピンポイント）で形成されたマスク３４を一対の案内部材に沿って摺動させると、図２２（Ｂ）に示されるように画像処理装置１０の設置場所やオプション装着状態に合わせて３箇所の検出範囲が設定可能である。
【０２５８】
例えば、扁平形状の開口部３４Ａを適用されると、画像処理装置１０の左右にオプション装置（自動仕分装置４０や大容量用紙収容装置４２）が取り付けられた状態で狭い通路に設置された場合に、オプション装置を含め全ての前面において奥行き方向は狭く設定されるので、通路の反対側の通る人は検知されず、画像処理装置１０に接近する人が検出される。なお、この場合、例えば、オプション装置としての大容量用紙収容装置４２に用紙を補給するために画像処理装置１０に近づいてきた場合、この大容量用紙収容装置４２の前にきただけで第２の人感センサ３０が人を検知し、電力供給が再開されたメインコントローラ２００によって用紙補給状態が認識されることになる。
【０２５９】
なお、本実施の形態では、固定された第２の人感センサ３０に対して、マスク３４を案内部材３６に沿って摺動させて、開口部３４Ａを選択する構成としたが、予め開口部３４Ａ或いはこれに準じる複数の検出面制限部を予め画像処理装置１０に形成しておき、検出面制限部材の中から１つまたは複数選択して、１個又は複数の第２の人感センサ３０を取付ける構成としてもよい。
【０２６０】
また、マスク３４の移動は直線的な摺動に限られるものではなく、当然１枚１枚交換する構成でもよいし、例えば円板の周縁に複数の開口部３４Ａを形成し、回転させることで開口部３４Ａを選択する、所謂ターレット式であってもよい。さらには、第２の人感センサ３０を三次元的に移動可能な架台に支持するようにし、検出面の光軸の調整の自由度を増してもよい。
【０２６１】
また、第２の人感センサ３０で検出した移動体の検出履歴情報に基づいて、使用目的で近づいてくる使用者を特定する確率の高い取付状態を決定するようにしてもよい。さらに、電力供給モード中、或いは節電モード中において充分な電力が確保できる場合、モータ等の駆動源を用いて、前記検出履歴情報に基づいて、第２の人感センサ３０の向きや、マスク３４の開口部３４Ａの選択ための移動を自動的に調整可能としてもよい。
【０２６２】
（付加的要件２「センサ感度」）
本実施の形態に適用される第１の人感センサ２８、第２の人感センサ３０において、それぞれ、移動体を検出する感度を持っている。
【０２６３】
例えば、画像処理装置１０では、画像処理が終了した時点でタイマを起動させて所定時間後にスリープモードへ移行し、第１の人感センサ２８、第２の人感センサ３０によって画像処理装置１０の周囲の検出領域に人が侵入したことでウォームアップモード等へ遷移させる。
【０２６４】
ところで、スリープモードへの遷移に関しては、相対的に早期にスリープモードに遷移すればするほど（タイマによる節電移行時間が短ければ短いほど）、「省エネ性能」が高い。一方、ウォームアップモード等の電力供給状態のモードへ遷移する場合は、相対的に早期に電力供給状態のモードへ遷移すればするほど（第１の人感センサ２８、第２の人感センサ３０による感度が高ければ高いほど）、「利便性」が高い。言い換えれば、省エネ性能と利便性とは二律背反の関係にある。
【０２６５】
そこで、図２３に示される如く、「省エネ性能」と「利便性」との平衡化を図るべく、双方の効果の度合いを段階的に設定した指標を確立した。
【０２６６】
すなわち、画像処理装置１０のメインコントローラ２００（節電中監視制御部２４を含む）では、当該画像処理装置１０の使用状況に基づいて、当該指標に従って段階（図２３では、段階１〜５に設定されている）を特定し、前記「省エネ性能」と「利便性」との両立化させるように制御する。
【０２６７】
第１の人感センサ２８、第２の人感センサの感度、並びに節電移行タイマ（以下、単に「タイマ」という場合がある）のカウント値の段階設定制御が実行される場合、前記タイマのカウント値の段階が変更されることに連動し、第１の人感センサ２８、第２の人感センサ３０の感度が変更されるように制御される（図２３の段階１〜５の指標参照）。
【０２６８】
例えば、タイマのカウント値が長くなれば、その分利便性は高くなるが、省エネ性能が低下する。そこで、第１の人感センサ２８、第２の人感センサ３０の感度を低くすることで、利便性が犠牲となるが、省エネ性能低下分が補填される。
【０２６９】
一方、タイマのカウント値が短くなれば、その分省エネ性能が向上するが、利便性が低下する。そこで、人感センサ２８の感度を高くすることで、省エネ性能は犠牲となるが、利便性低下分が補填される。
【０２７０】
また、逆に、第１の人感センサ２８、第２の人感センサ３０の感度、並びにタイマのカウント値の段階設定制御が実行される場合、第１の人感センサ２８、第２の人感センサ３０の感度が変更されることに連動し、前記タイマのカウント値の段階が変更されるように制御する（図２３の段階１〜５の指標参照）。例えば、第１の人感センサ２８、第２の人感センサ３０の感度が低くなれば、その分省エネ性能は高くなるが、利便性が低下する。そこで、タイマのカウント値を長くすることで、省エネ性能は犠牲になるが、利便性低下分が補填される。一方、第１の人感センサ２８、第２の人感センサ３０の感度が高くなれば、その分利便性が向上するが、省エネ性能が低下する。そこで、タイマのカウント値を短くすることで、利便性は犠牲になるが、省エネ性能低下分が補填される
（付加的要件３「人感センサのフェイルセーフ」）
本実施の形態では、前述した基本機能に加え、複数の人感センサ（本実施の形態では、１個の（焦電型）人感センサ２８、１個の（反射型）人感センサ３０）を用いることで、双方のフェイルセーフ機能を備えている。すなわち、何れかの一の人感センサが故障して信号が出力が途絶えたり、或いは、異常信号が出力された場合に、他の人感センサがこれを補うようにしている。
【０２７１】
当然、同一の機能（焦電型、反射型）の人感センサが複数個あれば、検出領域を調整すればよいが、本実施の形態のように、異なる機能の人感センサが１個ずつの場合は、監視制御形態を変更する必要がある。
【０２７２】
ここで、第１の人感センサ２８（焦電型センサ）が使用不能となった場合は、第２の人感センサ３０（反射型センサ）のみをスリープモード中の全てで移動体を監視し、この第２の人感センサ３０のオン・オフ信号のみで移動体（使用者）の在・不在を判定すれば、判定精度が落ち、かつ立ち上げ契機が遅延するにしても、併せて、異常報知をしておけば、サービスマン等が来るまでの緊急措置としての対応は十分である。
【０２７３】
一方、第２の人感センサ３０（反射型センサ）が使用不能となり、第１の人感センサ２８のみで監視する事態に陥ると、第１の人感センサ２８の性質（仕様）上、画像処理装置１０の前で立ち止まるといった使用者の行動に対応できず、第２の人感センサ３０の単独監視に比べて、さらに判定精度が落ち、かつ、逆に無駄な立ち上げが多くなる。
【０２７４】
そこで、第２の人感センサ２８（焦電型センサ）のみの監視体制を確立した。なお、本実施の形態では、この第２の人感センサ２８（焦電型センサ）のみの監視体制をフェイルセーフとして位置付けているが、当初から焦電型センサのみで監視する仕様の画像処理装置にも適用可能である。
【０２７５】
以下、図２４のフローチャートに従い、第２の人感センサ３０が故障し、第１の人感センサ２８の単独によるスリープモード時監視制御ルーチンを示す。なお、第２の人感センサ２８、３０の故障診断に関しては、周知のセンサ故障診断システムを用いればよいので、ここでの詳細な説明は省略する。
【０２７６】
図２４に示される如く、ステップ４００では、第１の人感センサ２８で移動体（使用者）を検知したか否かが判断され、否定判定された場合はこのルーチンは終了する。なお、スリープモード中は基本的に他の処理は行っていないので、直ちにステップ４００へ戻ることになる。
【０２７７】
前記ステップ４００で肯定判定されると、ステップ４０２へ移行し、画像処理装置１０の動作状態を、図５に示すスリープモード（ｓｌｐ）からアウェイクモード（ａｗｋ）モードへ遷移する。この遷移は、基本的には依然としてスリープモードではあるが、ＵＩタッチパネル２１６に電力が供給され、起動した状態である。
【０２７８】
次のステップ４０４では、節電中監視制御部２４での第１の人感センサ２８による監視体制を「無効」とし、ステップ４０６へ移行する。これは、例えば、使用者が画像処理装置１０の前で立ち止まり、静止すると、第１の人感センサ２８の出力がなくなり、使用者が去ったと判断される可能性があるからである。
【０２７９】
ステップ４０６ではＵＩタッチパネル２１６を用いたキー入力（操作）があったか否かが判断され、否定判定されると、ステップ４０８へ移行して予め設定した第１の所定時間が経過したか否かが判断される。このステップ４０８で否定判定されると、ステップ４０６へ戻り、ステップ４０６、４０８を繰り返す。
【０２８０】
上記ステップ４０６，４０８の繰り返し中、ステップ４０６で肯定判定、すなわち、キー入力（操作）があったと判定されると、ステップ４１６へ移行する（後述）。
【０２８１】
また、ステップ４０８で肯定判定、すなわち、第１の所定時間が経過してもキー入力（操作）がないと判定されると、ステップ４１０へ移行して、ＵＩタッチパネル２１６へメッセージ（例えば「キー操作をして下さい」等）を表示し、ステップ４１２へ移行する。
【０２８２】
これにより、仮に、画像処理装置１０の前に使用者がいれば、キー操作を迅速に行う契機となり得る。なお、メッセージ内容は、上記に限らず、使用者にキー操作を促すメッセージであれば限定されるものではなく、視覚以外の五感（例えば、聴覚や触覚）を通じて報知してもよい。
【０２８３】
次のステップ４１２では、ＵＩタッチパネル２１６を用いたキー入力（操作）があったか否かが判断され、否定判定されると、ステップ４１４へ移行して予め設定した第２の所定時間が経過したか否かが判断される。このステップ４１４で否定判定されると、ステップ４１２へ戻り、ステップ４１２、４１４を繰り返す。
【０２８４】
なお、第１の所定時間と第２の所定時間の間に相関関係はないが、例えば、第１の所定時間は移動体（使用者）が近づいている可能性があるので比較的に長い時間に設定し、第２の所定時間はメッセージをみれば直ちに操作するであろうと予測できるので比較的短い時間に設定する、といった目的に応じた時間の設定が可能である。
【０２８５】
上記ステップ４１２、４１４の繰り返し中、ステップ４１４で肯定判定、すなわち、キー入力（操作）があったと判定されるとステップ４１６へ移行する。ステップ４１６では、立ち上げトリガを出力し、このルーチンは終了する。これにより、画像処理装置１０の動作状態はウォームアップモード（ｗｕｐ）へ遷移し、ウォームアップが完了すると、スタンバイモード（ｓｔｂ）となる。
【０２８６】
また、ステップ４１４で肯定判定、すなわち、第２の所定時間が経過してもキー入力（操作）がないと判定されるとステップ４１８へ移行して、節電中監視制御部２４での第１の人感センサ２８による監視体制を「有効」として、このルーチンは終了する。
【０２８７】
（人感センサのモード毎の選択（電力供給パターン））
図２５は、第１の人感センサ２８（図２５では「（１）」と表記）と第２の人感センサ３０（図２５では（「２」）と表記）に対して電力を供給するか（「ＯＮ」）しないか（「ＯＦＦ」）をモード毎に選択したパターンの例としてパターンＡ〜Ｄを示している。
【０２８８】
パターンＡは、常時ＯＮ（電力供給）状態であるパターンであり、利便性が最も重視されるときに適用される。
【０２８９】
パターンＢは、第１の人感センサ２８がスリープモード以外はＯＦＦ（電力非供給）状態となるパターンであり、使用者が画像処理装置１０の前に立っていることが認識されれば、遠い領域（例えば、図６に示す領域Ｆ）の検出は不要である。
【０２９０】
パターンＣは、第１の人感センサ２８、第２の人感センサ３０共に、スリープモード以外はＯＦＦ（電力非供給）状態となるパターンであり、使用者が画像処理装置１０の前に立っていることが認識された後、ＵＩタッチパネル２１６等の入力操作の有無やタイマでその後のモード遷移を判定すればよい。
【０２９１】
パターンＤはアウェイクモードが設定された場合に、第２の人感センサ３０よりも先に、第１の人感センサ２８がＯＦＦ（電力非供給）状態となるパターンであり、また、ランニングモード後のスタンバイモードでは第１の人感センサ２８よりも先に、第２の人感センサ３０がＯＮ（電力供給）状態となるパターンである。
【０２９２】
なお、電力供給パターンは、上記パターンＡ〜Ｄは組み合わせの一部であり、消費電力の削減を優先するか、利便性を優先するかによって、様々な組み合わせが考えられ、本実施の形態では、各モードに対する組み合わせに制限はない。言い換えれば、第１の人感センサ２８と第２の人感センサ３０に対して、各モード状態で独立して電力供給の可否を選択可能であることが特徴である。
【符号の説明】
【０２９３】
Ｗ    壁面
１０    画像処理装置
２０    ネットワーク通信回線網
２１    ＰＣ
２２    電話回線網
２４    節電中監視制御部
２６    節電解除ボタン
２８    第１の人感センサ
３０    第２の人感センサ
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路（電力供給制御手段）
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６４    ファクシミリ通信制御回路電源供給部
２６６    ＵＩタッチパネル電源供給部
２６８    第２のサブ電源スイッチ（「ＳＷ−２」）
２７０    第３のサブ電源スイッチ（「ＳＷ−３」）
２７４    第５のサブ電源スイッチ（「ＳＷ−５」）
２７６    第６のサブ電源スイッチ（「ＳＷ−６」）
【図１】
0005605475.tif 000002
【図２】
0005605475.tif 000003
【図３】
0005605475.tif 000004
【図４】
0005605475.tif 000005
【図５】
0005605475.tif 000006
【図７】
0005605475.tif 000007
【図８】
0005605475.tif 000008
【図９】
0005605475.tif 000009
【図１０】
0005605475.tif 000010
【図１１】
0005605475.tif 000011
【図１２】
0005605475.tif 000012
【図１３】
0005605475.tif 000013
【図１４】
0005605475.tif 000014
【図１５】
0005605475.tif 000015
【図１６】
0005605475.tif 000016
【図１７】
0005605475.tif 000017
【図１８】
0005605475.tif 000018
【図１９】
0005605475.tif 000019
【図２０】
0005605475.tif 000020
【図２１】
0005605475.tif 000021
【図２２】
0005605475.tif 000022
【図２４】
0005605475.tif 000023
【図２５】
0005605475.tif 000024
【図６】
0005605475.tif 000025
【図２３】
0005605475.tif 000026